(57)【要約】【課題】輝度むらが低減された照明装置、この照明装置が適用された撮像装置、検査装置、電子機器を提供すること。【解決手段】照明装置１０Ａは、Ｘ方向に延在し、Ｘ方向と交差するＹ方向に互いに並列する複数の第１配線１１と、Ｙ方向に延在し、複数の第１配線１１の一方の端部が接続された第２配線１２と、Ｙ方向に延在し、第２配線１２よりも外側に設けられ一方の端部が第２配線１２に接続された第３配線１３と、第３配線１３の他方の端部が接続された第１端子部１７と、を備え、有機ＥＬ素子１の第１電極としての陽極２は、複数の第１配線１１のいずれかに接続され、第２電極としての陰極８は、少なくとも領域Ｅ１に亘って形成され、Ｙ方向において第１端子部１７と同じ側に配置された第２端子部１８に電気的に接続されている。第３配線１３及び第５配線１５の幅は、第２配線１２及び第４配線１４よりも大きい。【選択図】図２
2014007319.tif 000002
【特許請求の範囲】
【請求項１】
基板上に第１電極と第２電極との間に発光層を有する複数の有機ＥＬ素子が配置された領域を有する照明装置であって、
第１の方向に延在し、前記第１の方向と交差する第２の方向に互いに並列する複数の第１配線と、
前記第２の方向に延在し、前記複数の第１配線の一方の端部が接続された第２配線と、
前記第２の方向に延在し、前記第２配線よりも外側に設けられ一方の端部が前記第２配線に接続された第３配線と、
前記第３配線の他方の端部が接続された第１端子部と、を備え、
前記第１電極は、前記複数の第１配線のいずれかに接続され、
前記第２電極は、少なくとも前記領域に亘って形成され、前記第２の方向において前記第１端子部と同じ側に配置された第２端子部に電気的に接続されていることを特徴とする照明装置。
【請求項２】
基板上に第１電極と第２電極との間に発光層を有する複数の有機ＥＬ素子が配置された領域を有する照明装置であって、
第１の方向に延在し、前記第１の方向と交差する第２の方向に互いに並列する複数の第１配線と、
前記第２の方向に延在し、前記複数の第１配線の一方の端部が接続された第２配線と、
前記第２の方向に延在し、前記第２配線よりも外側に設けられ一方の端部が前記第２配線に接続された第３配線と、
前記第３配線の他方の端部が接続された第１端子部と、を備え、
前記第１電極は、前記複数の第１配線のいずれかに接続され、
前記第２電極は、前記領域において前記第２の方向に延在し、前記第１の方向に互いに並列する複数の第２電極枝部を有し、
前記複数の第２電極枝部は、前記第２の方向において前記第１端子部と同じ側に配置された第２端子部に電気的に接続され、
前記有機ＥＬ素子は、前記複数の第１配線と前記複数の第２電極枝部との交差部に対応して設けられていることを特徴とする照明装置。
【請求項３】
前記第２の方向に延在し、前記複数の第１配線の他方の端部が接続された第４配線と、
前記第２の方向に延在し、前記第４配線よりも外側に設けられ一方の端部が前記第４配線に接続された第５配線と、
前記第５配線の他方の端部が接続された第３端子部と、を備え、
前記第２の方向において、前記第１端子部及び前記第２端子部並びに前記第３端子部が同じ側に配置されていることを特徴とする請求項１または２に記載の照明装置。
【請求項４】
前記複数の第１配線のうち、前記領域の中央側に位置する少なくとも１つの第１配線が他の第１配線よりも幅が大きいことを特徴とする請求項１乃至３のいずれか一項に記載の照明装置。
【請求項５】
前記複数の第１配線、前記第２配線、前記第３配線、前記第４配線、前記第５配線は、前記基板上において同層に設けられていることを特徴とする請求項３または４に記載の照明装置。
【請求項６】
前記複数の第１配線は、少なくとも前記領域に亘って設けられ、
前記第２配線、前記第３配線、前記第４配線、前記第５配線は、前記領域の外側に設けられていることを特徴とする請求項３乃至５のいずれか一項に記載の照明装置。
【請求項７】
前記第３配線の幅は前記第２配線よりも大きく、
前記第５配線の幅は前記第４配線よりも大きいことを特徴とする請求項３乃至６のいずれか一項に記載の照明装置。
【請求項８】
前記基板上の前記複数の第１配線を覆う絶縁層と、
前記複数の第１配線と重なる前記絶縁層の部分に設けられた複数のコンタクトホールと、を備え、
前記第１電極は、前記複数の第１配線のうちの１つの第１配線と重なって設けられ、前記複数のコンタクトホールのうち少なくとも１つのコンタクトホール内に形成された導電膜により前記１つの第１配線と電気的に接続されていることを特徴とする請求項１乃至７のいずれか一項に記載の照明装置。
【請求項９】
前記複数の第１配線は、光反射性を有する導電材料により構成され、
前記第１電極及び前記第２電極は、光透過性を有する導電材料により構成されていることを特徴とする請求項８に記載の照明装置。
【請求項１０】
前記少なくとも１つのコンタクトホール内に形成された導電膜は、前記第１電極と同じ光透過性を有する導電材料で構成されていることを特徴とする請求項９に記載の照明装置。
【請求項１１】
前記第１の方向に延在し、前記第２電極と前記第２端子とを電気的に接続させる第６配線を有し、
前記第６配線は、前記第２電極よりも低抵抗な導電材料により構成されていることを特徴とする請求項８乃至１０のいずれか一項に記載の照明装置。
【請求項１２】
前記第６配線は、前記領域よりも外側に設けられ、前記基板上において、前記複数の第１配線、前記第２配線、前記第３配線、前記第４配線、前記第５配線と同層に形成されていることを特徴とする請求項１１に記載の照明装置。
【請求項１３】
請求項１乃至１２のいずれか一項に記載の照明装置を備えたことを特徴とする電子機器。
【請求項１４】
請求項１乃至１２のいずれか一項に記載の照明装置と、
前記照明装置によって照明された被写体の画像を撮像する受光素子と、を備えたことを特徴とする撮像装置。
【請求項１５】
請求項１乃至１２のいずれか一項に記載の照明装置と、
前記照明装置によって照明された被写体の画像を撮像する受光素子と、
前記受光素子の検出結果によって検査を行う制御部と、を備えたことを特徴とする検査装置。
【発明の詳細な説明】
【技術分野】
【０００１】
本発明は、照明装置、照明装置を備えた、電子機器、撮像装置、検査装置に関する。
【背景技術】
【０００２】
上記照明装置として分散して配置された複数の発光素子部と、複数の発光素子部に接続された第１配線及び第２配線を備え、第１配線及び第２配線が互いに並列に延在するパターンを有する照明装置が知られている（特許文献１）。
特許文献１の照明装置によれば、第１配線及び第２配線が透光性材料で構成されているので、複数の発光素子部からの発光を阻害せずに、光の取り出し効率を向上させることができるとしている。
第１配線及び第２配線を構成する透光性材料としてＩＴＯ（Indium  Tin  Oxide）やＩＺＯ（Indium  Zinc  Oxide）の例が挙げられている。これらの透明導電材料は、不透明な例えばアルミニウムや銅などの導電材料に比べて電気抵抗が大きいので、第１配線及び第２配線において給電部分から離れるほど電圧降下が生じ、第１配線及び第２配線に接続された複数の発光素子部における発光の輝度むらが生ずるおそれがある。
そこで、例えば特許文献２には、複数の発光素子が形成された光出射領域とその周辺領域に亘って形成され、複数の発光素子に電気的に接続された透明配線層と、周辺領域に形成され、透明配線層に接すると共に透明配線層よりも低い（小さい）電気抵抗を有する低抵抗配線層とを備えた照明装置が開示されている。特許文献２によれば、低抵抗配線層を介して透明配線層に給電することにより、周辺領域における透明配線層の電圧降下を低減して、一様な光強度で光を出射可能な照明装置を提供できるとしている。
【先行技術文献】
【特許文献】
【０００３】
【特許文献１】特開２００８−７７８６５号公報
【特許文献２】特開２０１０−２３８４９７号公報
【発明の概要】
【発明が解決しようとする課題】
【０００４】
特許文献２では、発光素子として有機エレクトロルミネッセンス（ＥＬ）素子を用いた例が挙げられている。透明配線層は有機ＥＬ素子の陽極として機能する陽極配線と、有機ＥＬ素子の陰極に電気的に接続する陰極配線とを有し、それぞれ独立して形成された低抵抗配線層に接している。陽極配線と陰極配線とは並列しており、並列した両端側にそれぞれ設けられた低抵抗配線層と接している。したがって、陽極配線は低抵抗配線層に接した一方の端から他方の端に向って電気抵抗が大きくなる。これに対して、陰極配線は、陽極配線の他方の端側に設けられた低抵抗配線層に接しているので、他方の端から一方の端に向って電気抵抗が大きくなる。つまり、並列した陽極配線と陰極配線とにおける電気抵抗分布が異なるので、複数の発光素子における陽極と陰極との間の電位がばらついて、一様な光強度の発光が得られないおそれがあるという課題がある。
【課題を解決するための手段】
【０００５】
本発明は、上述の課題の少なくとも一部を解決するためになされたものであり、以下の形態または適用例として実現することが可能である。
【０００６】
［適用例１］本適用例に係る照明装置は、基板上に第１電極と第２電極との間に発光層を有する複数の有機ＥＬ素子が配置された領域を有する照明装置であって、第１の方向に延在し、前記第１の方向と交差する第２の方向に互いに並列する複数の第１配線と、前記第２の方向に延在し、前記複数の第１配線の一方の端部が接続された第２配線と、前記第２の方向に延在し、前記第２配線よりも外側に設けられ一方の端部が前記第２配線に接続された第３配線と、前記第３配線の他方の端部が接続された第１端子部と、を備え、前記第１電極は、前記複数の第１配線のいずれかに接続され、前記第２電極は、少なくとも前記領域に亘って形成され、前記第２の方向において前記第１端子部と同じ側に配置された第２端子部に電気的に接続されていることを特徴とする。
【０００７】
この構成によれば、複数の有機ＥＬ素子を発光させるために第１端子部に印加された電位（以降、第１電位と称する）は、第３配線、第２配線をこの順に経由して複数の第１配線に伝達され、複数の第１配線に接続された第１電極に印加される。複数の第１配線は第２の方向に並列して配置されているので、複数の第１配線のうち第１端子部に最も近い側の第１配線が電気的には第１端子部から最も遠いところに位置することになる。つまり、複数の第１配線は、第１端子部に近い第１配線ほど電気抵抗が大きくなる。したがって、第１端子部に近い第１配線ほど第１電位の電圧降下が大きくなる。
これに対して、複数の有機ＥＬ素子を発光させるために第２端子部に印加された電位（以降、第２電位と称する）は、第１電位に対して一定の電位（例えばＧＮＤ電位）が与えられる。第２電極は複数の有機ＥＬ素子が配置される領域に亘って形成され、第２端子部から離れるほど電気抵抗が大きくなる。つまり、第２電極は、第２端子部に近いほど第２電位の損失が小さく、第２端子部から離れるほど第２電位は上昇する。
ゆえに、第１端子部と複数の第１電極との電気的な距離の違いに起因する第１電位の電圧降下の傾向と、第２端子部と第２電極との電気的な距離の違いに起因する第２電位の電圧上昇の傾向とが、複数の第１配線が配列した第２の方向において類似することになる。よって、複数の第１電極と第２電極との間の電位の差の分布を第１電位と第２電位との差に近づける、あるいは一致させることが可能となるので、複数の有機ＥＬ素子において駆動電圧のばらつきによる輝度むらを低減することができる。言い換えれば、複数の有機ＥＬ素子に給電するための配線の配置に起因する輝度むらが低減された照明装置を提供できる。
【０００８】
［適用例２］本適用例に係る照明装置は、基板上に第１電極と第２電極との間に発光層を有する複数の有機ＥＬ素子が配置された領域を有する照明装置であって、第１の方向に延在し、前記第１の方向と交差する第２の方向に互いに並列する複数の第１配線と、前記第２の方向に延在し、前記複数の第１配線の一方の端部が接続された第２配線と、前記第２の方向に延在し、前記第２配線よりも外側に設けられ一方の端部が前記第２配線に接続された第３配線と、前記第３配線の他方の端部が接続された第１端子部と、を備え、前記第１電極は、前記複数の第１配線のいずれかに接続され、前記第２電極は、前記領域において前記第２の方向に延在し、前記第１の方向に互いに並列する複数の第２電極枝部を有し、前記複数の第２電極枝部は、前記第２の方向において前記第１端子部と同じ側に配置された第２端子部に電気的に接続され、前記有機ＥＬ素子は、前記複数の第１配線と前記複数の第２電極枝部との交差部に対応して設けられていることを特徴とする。
【０００９】
この構成によれば、複数の有機ＥＬ素子を発光させるために第１端子部に印加された電位（以降、第１電位と称する）は、第３配線、第２配線をこの順に経由して複数の第１配線に伝達され、複数の第１配線に電気的に並列に接続された複数の第１電極にそれぞれ印加される。複数の第１配線は第２の方向に並列して配置されているので、複数の第１配線のうち第１端子部に最も近い側の第１配線が電気的には第１端子部から最も遠いところに位置することになる。つまり、複数の第１配線は、第１端子部に近い第１配線ほど電気抵抗が大きくなる。したがって、第１端子部に近い第１配線ほど第１電位の電圧降下が大きくなる。
これに対して、複数の有機ＥＬ素子を発光させるために第２端子部に印加された電位（以降、第２電位と称する）は、第１電位に対して一定の電位（例えばＧＮＤ電位）を与える。第２電極は複数の第２電極枝部を有し、第２電極枝部のそれぞれは、第２端子部から離れるほど電気抵抗が大きくなる。つまり、第２電極枝部は、第２端子部に近いほど第２電位の損失が小さく、第２端子部から離れるほど第２電位は上昇する。
ゆえに、第１端子部と複数の第１電極との電気的な距離の違いに起因する第１電位の電圧降下の傾向と、第２端子部と第２電極枝部との電気的な距離の違いに起因する第２電位の電圧上昇の傾向とが、複数の第１配線が配列した第２の方向において類似することになる。よって、複数の第１電極と複数の第２電極枝部との間の電位の差の分布を第１電位と第２電位との差に近づける、あるいは一致させることが可能となるので、複数の有機ＥＬ素子において駆動電圧のばらつきによる輝度むらを低減することができる。言い換えれば、複数の有機ＥＬ素子に給電するための配線の配置に起因する輝度むらが低減された照明装置を提供できる。
【００１０】
［適用例３］上記適用例に係る照明装置において、前記第２の方向に延在し、前記複数の第１配線の他方の端部が接続された第４配線と、前記第２の方向に延在し、前記第４配線よりも外側に設けられ一方の端部が前記第４配線に接続された第５配線と、前記第５配線の他方の端部が接続された第３端子部と、を備え、前記第２の方向において、前記第１端子部及び前記第２端子部並びに前記第３端子部が同じ側に配置されていることが好ましい。
この構成によれば、第１端子部と第３端子部とに有機ＥＬ素子を発光させるための第１電位を印加すれば、複数の第１配線の両端側から給電されることになるので、第１端子部及び第３端子部と複数の第１電極との電気的な距離の違いに起因する第１電位の電圧降下の程度を小さくすることができる。つまり、無駄な電力の消費を抑え、安定した輝度の発光が得られる照明装置を提供できる。
【００１１】
［適用例４］上記適用例に係る照明装置において、前記複数の第１配線のうち、前記領域の中央側に位置する少なくとも１つの第１配線が他の第１配線よりも幅が大きいことが好ましい。
これによれば、複数の有機ＥＬ素子が配置された領域の中央側に位置する少なくとも１つの第１配線の電気抵抗を他の第１配線に比べて小さくすることができる。ゆえに、第１端子部と複数の第１電極との電気的な距離の違いに起因する第１電位の電圧降下の傾向を緩やかにすることができる。言い換えれば、隣り合う有機ＥＬ素子の間に印加される駆動電圧のばらつきに起因する輝度むらをより目立ち難くすることができる。
【００１２】
［適用例５］上記適用例に係る照明装置において、前記複数の第１配線、前記第２配線、前記第３配線、前記第４配線、前記第５配線は、前記基板上において同層に設けられていることが好ましい。
これによれば、同一の配線形成工程で第１配線〜第５配線を形成することが可能となり、配線形成工程を簡略化して優れたコストパフォーマンスを有する照明装置を提供できる。
【００１３】
［適用例６］上記適用例に係る照明装置において、前記複数の第１配線は、少なくとも前記領域に亘って設けられ、前記第２配線、前記第３配線、前記第４配線、前記第５配線は、前記領域の外側に設けられていることが好ましい。
これによれば、複数の有機ＥＬ素子からの発光が第２配線、第３配線、第４配線、第５配線によって阻害されないので、効率よく発光が射出される。
【００１４】
［適用例７］上記適用例に係る照明装置において、前記第３配線の幅は前記第２配線よりも大きく、前記第５配線の幅は前記第４配線よりも大きいことが好ましい。
これによれば、第１端子部に直接に接続された第３配線、第３端子部に直接に接続された第５配線における第１電位の電圧降下を抑えることができる。ゆえに、複数の有機ＥＬ素子の間に印加される駆動電圧のばらつきに起因する輝度むらをより目立ち難くすることができる。
【００１５】
［適用例８］上記適用例に係る照明装置において、前記基板上の前記複数の第１配線を覆う絶縁層と、前記複数の第１配線と重なる前記絶縁層の部分に設けられた複数のコンタクトホールと、を備え、前記第１電極は、前記複数の第１配線のうちの１つの第１配線と重なって設けられ、前記複数のコンタクトホールのうち少なくとも１つのコンタクトホール内に形成された導電膜により前記１つの第１配線と電気的に接続されていることを特徴とする。
この構成によれば、第１配線と重なった位置に有機ＥＬ素子が配置される。第２の方向に並列した第１配線間に有機ＥＬ素子を配置する場合に比べて、有機ＥＬ素子を高密度に配置することができる。また、この照明装置と複数の受光素子とを組み合わせて撮像装置とする場合、受光素子を第１配線間に配置したときに、有機ＥＬ素子が邪魔にならずに済む。言い換えれば、受光素子の配置における自由度が高まるので、より鮮明な被写体の画像を得ることが可能となる。
【００１６】
［適用例９］上記適用例に係る照明装置において、前記複数の第１配線は、光反射性を有する導電材料により構成され、前記第１電極及び前記第２電極は、光透過性を有する導電材料により構成されていることを特徴とする。
この構成によれば、複数の有機ＥＬ素子からの発光を第２電極側から取り出すことができ、且つ第１配線が光反射性を有しているので、発光の取り出し効率を高めることができる。つまり、明るい面発光が得られる照明装置を提供できる。
【００１７】
［適用例１０］上記適用例に係る照明装置において、前記少なくとも１つのコンタクトホール内に形成された導電膜は、前記第１電極と同じ光透過性を有する導電材料で構成されていることを特徴とする。
この構成によれば、絶縁層を覆って例えばＩＴＯやＩＺＯなどの光透過性の導電材料を成膜しパターニングすることで、第１配線にコンタクトホールを介して電気的に接続された第１電極を形成することが可能となる。光反射性を有する導電材料で構成される第１配線は第１電極よりも低抵抗な状態とすることができる。これに対してコンタクトホール内に形成された第１電極の一部は高抵抗となるため、コンタクトホール自体にヒューズ機能を持たせることができる。つまり、複数の有機ＥＬ素子のうち一部の有機ＥＬ素子が短絡すると、当該有機ＥＬ素子に所定よりも大きな過電流が流れる。該過電流によって上記コンタクトホール内の導電膜が溶融して断線すれば、他の有機ＥＬ素子における電流の流れ、すなわち他の有機ＥＬ素子の発光に影響を及ぼさずに済む。
【００１８】
［適用例１１］上記適用例に係る照明装置において、前記第１の方向に延在し、前記第２電極と前記第２端子とを電気的に接続させる第６配線を有し、前記第６配線は、前記第２電極よりも低抵抗な導電材料により構成されていることが好ましい。
この構成によれば、第２電極における第２端子部からの距離に起因する電気抵抗の変化を小さくすることができる。
【００１９】
［適用例１２］上記適用例に係る照明装置において、前記第６配線は、前記領域よりも外側に設けられ、前記基板上において、前記第１配線、前記第２配線、前記第３配線、前記第４配線、前記第５配線と同層に形成されていることが好ましい。
これによれば、配線形成工程を簡略化できるので、優れたコストパフォーマンスを有する照明装置を提供できる。
【００２０】
［適用例１３］本発明に係る電子機器は、上記適用例の照明装置を備えたことを特徴とする。
この構成によれば、輝度むらが低減された照明装置を備えているので、見栄えのよい電子機器を提供できる。
【００２１】
［適用例１４］本発明に係る撮像装置は、上記適用例の照明装置と、前記照明装置によって照明された被写体の画像を撮像する受光素子と、を備えたことを特徴とする。
この構成によれば、輝度むらが低減された照明装置を備えているので、コントラストむらが少ない被写体の画像を撮像することができる撮像装置を提供することができる。
【００２２】
［適用例１５］本発明に係る検査装置は、上記適用例の照明装置と、前記照明装置によって照明された被写体の画像を撮像する受光素子と、前記受光素子の検出結果によって検査を行う制御部と、を備えたことを特徴とする。
この構成によれば、輝度むらが低減された照明装置を備えているので、コントラストむらが少ない被写体の画像に基づいて、より正確な検査が可能な検査装置を提供することができる。
【図面の簡単な説明】
【００２３】
【図１】第１実施形態の照明装置の電気的な構成を示す回路図。
【図２】第１実施形態の照明装置の構成を示す概略平面図。
【図３】第１実施形態の照明装置の要部の構成を示す概略平面図。
【図４】図３のＡ−Ａ’線に沿った概略断面図。
【図５】有機ＥＬ素子の構成を示す模式断面図。
【図６】比較例の照明装置の構成を示す概略平面図。
【図７】（ａ）は比較例の照明装置における陽極の電位の大小関係を示す図、（ｂ）は本実施形態の照明装置における陽極の電位の大小関係を示す図。
【図８】（ａ）は比較例の照明装置における陽極の電位（ＶＥＬ）及び陰極の電位（ＶＣＴ）と有機ＥＬ素子の位置との関係を示すグラフ、（ｂ）は本実施形態の照明装置における陽極の電位（ＶＥＬ）及び陰極の電位（ＶＣＴ）と有機ＥＬ素子の位置との関係を示すグラフ。
【図９】第２実施形態の照明装置の電気的な構成を示す回路図。
【図１０】（ａ）は第２実施形態の照明装置の構成を示す概略平面図、（ｂ）は第２実施形態の照明装置の有機ＥＬ素子における陽極と陰極の配置を示す概略平面図。
【図１１】検査装置としての生体認証装置の構成を示すブロック図。
【図１２】有機ＥＬ素子と受光素子との配置を示す概略平面図。
【図１３】撮像装置の構造を示す概略断面図。
【図１４】変形例の有機ＥＬ素子の配置を示す概略平面図。
【発明を実施するための形態】
【００２４】
以下、本発明を具体化した実施形態について図面に従って説明する。なお、使用する図面は、説明する部分が認識可能な状態となるように、適宜拡大または縮小して表示している。
【００２５】
（第１実施形態）
＜照明装置＞
まず、本実施形態の照明装置について、図１〜図５を参照して説明する。図１は第１実施形態の照明装置の電気的な構成を示す回路図、図２は第１実施形態の照明装置の構成を示す概略平面図、図３は第１実施形態の照明装置の要部の構成を示す概略平面図、図４は図３のＡ−Ａ’線に沿った概略断面図、図５は有機ＥＬ素子の構成を示す模式断面図である。
【００２６】
図１に示すように本実施形態の照明装置１０Ａは、発光素子としての有機ＥＬ（Electro  Luminescence）素子１が複数配置された領域Ｅ１を有するものである。本実施形態では、領域Ｅ１において第１の方向としてのＸ方向に７個、第１の方向と交差（直交）する第２の方向としてのＹ方向に５個、合計３５個の有機ＥＬ素子１がマトリックス状に配置されている。照明光は領域Ｅ１から発せられる、つまり領域Ｅ１が実質的な発光領域となっている。なお、領域Ｅ１に配置される有機ＥＬ素子１の個数はこれに限定されるものではない。
【００２７】
有機ＥＬ素子１の詳しい構成については後述するが、有機ＥＬ素子１は、第１電極としての陽極２と、第２電極として陰極８との間に有機膜からなる発光層を有している。複数の有機ＥＬ素子１のそれぞれの陽極２は、複数（５本）の第１配線１１のいずれかに接続されている。１本当たりの第１配線１１には７個の有機ＥＬ素子１の陽極２が並列に接続されている。
【００２８】
Ｘ方向に延在した複数の第１配線１１の一方の端部は、Ｙ方向に延在した第２配線１２に接続されている。第２配線１２は、同じくＹ方向に延在した第３配線１３に接続されている。第３配線１３の一方の端部が第２配線１２に接続され、第３配線１３の他方の端部には第１端子部１７が設けられている。
【００２９】
Ｘ方向に延在した複数の第１配線１１の他方の端部は、Ｙ方向に延在した第４配線１４に接続されている。第４配線１４は、同じくＹ方向に延在した第５配線１５に接続されている。第５配線１５の一方の端部が第４配線１４に接続され、第５配線１５の他方の端部には第３端子部１９が設けられている。つまり、複数の第１配線１１は、Ｘ方向における両端側に給電用の配線が接続されている。
【００３０】
有機ＥＬ素子１の陰極８は、共通電極として設けられており、他の有機ＥＬ素子１と共有され、第６配線１６に電気的に接続されている。第６配線１６には第２端子部１８が設けられている。
【００３１】
複数の有機ＥＬ素子１は、第１端子部１７及び第３端子部１９と第２端子部１８との間に駆動電圧が印加され、陽極２と陰極８との間に電流が流れることによって発光層が発光する。第２端子部１８には、例えばＧＮＤ電位（０Ｖ）が与えられ、第１端子部１７及び第３端子部１９には、ＧＮＤ電位（０Ｖ）よりも大きな電位（＋電位）が与えられる。これにより陽極２から陰極８に向って電流が流れる。つまり、陽極２から正孔が注入され、陰極８から電子が注入される。発光層では、注入された正孔と電子とにより励起子（エキシトン）が生成され、励起子（エキシトン）が消滅する際（正孔と電子とが再結合する際）にエネルギーの一部が蛍光や燐光となって放出される。
１つの有機ＥＬ素子１の発光輝度は、陽極２と陰極８との間を流れる電流量によって決まる。電流量が所定の輝度が得られる値よりも小さければ輝度は所定の輝度より小さくなる。電流量は陽極２と陰極８との間の電位差に依存する。言い換えれば、複数の有機ＥＬ素子１のそれぞれにおいて陽極２と陰極８との間に印加される駆動電圧がばらつくと、輝度がばらつくことになる。
【００３２】
本実施形態では、照明装置１０Ａの複数の有機ＥＬ素子１において発光の輝度むらが目立たないように、複数の有機ＥＬ素子１に接続される各配線の構成が工夫されている。図２は照明装置１０Ａにおける各配線の具体的な構成を示すものである。
【００３３】
図２に示すように、複数の第１配線１１は、Ｘ方向に延在すると共に、互いに所定の間隔をおいてＹ方向に並列している。前述したように、複数の第１配線１１の一方の端部（図面上では左側の端部）は、Ｙ方向に延在した第２配線１２に接続されている。第２配線１２の外側に同じくＹ方向に延在した第３配線１３が設けられており、第３配線１３の一方の端部（図面上ではＹ方向における上方側の端部）が第２配線１２に接続されている。第３配線１３の他方の端部（図面上ではＹ方向における下方側の端部）には第１端子部１７が設けられている。
【００３４】
複数の第１配線１１の他方の端部（図面上では右側の端部）は、Ｙ方向に延在した第４配線１４に接続されている。第４配線１４の外側に同じくＹ方向に延在した第５配線１５が設けられており、第５配線１５の一方の端部（図面上ではＹ方向における上方側の端部）が第４配線１４に接続されている。第５配線１５の他方の端部（図面上ではＹ方向における下方側の端部）に第３端子部１９が設けられている。
【００３５】
前述したように陰極８は共通電極であって、少なくとも複数の有機ＥＬ素子１が含まれる領域Ｅ１に亘って形成されている。陰極８は平面視で四角形であり、Ｙ方向における下側の一辺部に接して第６配線１６が設けられている。第２端子部１８はＸ方向に延在した第６配線１６に沿って設けられている。
つまり、図面上でＹ方向の下側に第１端子部１７と第２端子部１８と第３端子部１９とが設けられている。第１端子部１７と第３端子部１９との間に第２端子部１８が配置されている。
【００３６】
複数の第１配線１１に接続された第２配線１２、第３配線１３、第４配線１４、第５配線１５のうち、第２配線１２と第４配線１４は同じ幅（太さ）で形成されている。また、第３配線１３と第５配線１５は同じ幅（太さ）で形成されている。第３配線１３の幅（太さ）は第２配線１２よりも大きい。同じく、第５配線１５の幅（太さ）は第４配線１４よりも大きい。これにより、第１端子部１７及び第３端子部１９に印加された電位が第３配線１３や第５配線１５の電気抵抗によって低下することを抑制している。
【００３７】
複数の第１配線１１、第２配線１２、第３配線１３、第４配線１４、第５配線１５、第６配線１６は、それぞれ基板上に形成されている。また、基板上において同一の配線層（同層）に形成されていることが好ましい。さらには、同一の導電材料を用いて形成されていることが好ましい。これらの配線を構成する導電材料としては、有機ＥＬ素子１の陽極２や陰極８を構成するそれぞれの導電材料よりも電気抵抗が小さい金属あるいは合金などが望ましく、例えばＡｌ（アルミニウム）やＣｕ（銅）などを挙げることができる。
【００３８】
第１端子部１７、第２端子部１８、第３端子部１９は、それぞれ対応する配線に接して、あるいは対応する配線の一部として形成されている。電気抵抗をより低下させるため対応する配線よりも電気抵抗が小さい材料で形成される、あるいはそれぞれ対向する配線の一部として形成され、Ｎｉ（ニッケル）やＡｕ（金）などのメッキ処理が施されていることが好ましい。
【００３９】
複数の第１配線１１は、Ｙ方向において第１端子部１７側から配列する順に、第１配線１１ａ、第１配線１１ｂ、第１配線１１ｃ、第１配線１１ｄ、第１配線１１ｅと呼ぶこととする。
【００４０】
次に、有機ＥＬ素子１に纏わる構成と構造について、図３〜図５を参照して説明する。
図３に示すように、有機ＥＬ素子１の陽極２は、平面視で第１配線１１と重なって形成されている。陽極２と第１配線１１とは、陽極２と重なった位置に設けられたコンタクトホール９ａ内の導電膜を介して電気的に接続されている。本実施形態における陽極２の形状は長方形であって、長手方向が第１配線１１の延在方向（Ｘ方向）と合致するように陽極２が配置されている。陽極２の短手方向の幅は、第１配線１１の幅と同じであってもよいし、少し小さくてもよく、また少し大きくても構わない。陰極８が共通電極として形成されるので、１つの有機ＥＬ素子１において発光が得られる領域は、ほぼ陽極２の大きさによって決まる。
【００４１】
図４に示すように、第１配線１１は基板Ｐ１上に形成されている。本実施形態の基板Ｐ１は、透光性の例えばガラスやプラスチックなどの基板を用いることができる。本実施形態では、光反射性を有する例えばＡｌ（アルミニウム）を用いて第１配線１１が形成されている。第１配線１１を覆って絶縁層９が形成されている。絶縁層９は透光性の例えば酸化シリコンなどの無機材料やアクリル樹脂などの有機材料を用いることができる。絶縁層９には第１配線１１と重なる位置に複数のコンタクトホール９ａが形成されている。陽極２は、透光性（光透過性）の例えばＩＴＯ（Indium  Tin  Oxide）やＩＺＯ（Indium  Zinc  Oxide）などの透明導電膜を用いて形成されている。具体的には、コンタクトホール９ａが形成された絶縁層９の表面を覆うようにＩＴＯ膜を真空蒸着法やスパッタ法で成膜する。続いて、フォトリソグラフィ法によって、平面視でコンタクトホール９ａが含まれるようにＩＴＯ膜をパターニングして、それぞれ独立した陽極２を形成する。陽極２はコンタクトホール９ａ内のＩＴＯ膜を介して第１配線１１と電気的に接続される。すなわち、第１配線１１上に配列した複数の陽極２同士は、コンタクトホール９ａによって電気的に並列して第１配線１１に接続される。第１配線１１は陽極２を構成するＩＴＯ膜などの透明導電膜よりも電気抵抗が小さい導電材料を用いて形成されている。これに対して、第１配線１１と陽極２とを電気的に接続させるコンタクトホール９ａ内の導電膜、つまりＩＴＯ膜は、絶縁層９のコンタクトホール９ａにおける段差部を均一に被覆することが難しいので、電気抵抗が他の部分に比べて大きくなり易い。よって、コンタクトホール９ａ内の導電膜が第１配線１１と陽極２との間に介在する抵抗Ｒとして機能し、１つの有機ＥＬ素子１が短絡して規定以上の過電流が流れると、当該抵抗Ｒが溶融（焼損）して第１配線１１と陽極２とが電気的に切り離される。つまり当該抵抗Ｒがヒューズとして機能することになる。言い換えれば、１つの有機ＥＬ素子１に異常（短絡）が生じて過電流が流れても、いずれは当該有機ＥＬ素子１だけに電流が流れなくなり、他の有機ＥＬ素子１は正常に動作するので、安定した輝度を確保することが可能となる。
【００４２】
これらの陽極２を覆って発光機能層ＬＥが少なくとも領域Ｅ１（図２参照）に亘って形成される。同じく、発光機能層ＬＥを覆って陰極８が少なくとも領域Ｅ１に亘って形成される。本実施形態の陰極８は、例えばＭｇとＡｇの合金により透光性を有するように膜厚が制御されて形成されている。したがって、発光機能層ＬＥで発した光の一部は、そのまま陰極８を透過して射出されるだけでなく、陽極２及び絶縁層９を透過して第１配線１１により反射され、再び絶縁層９及び陽極２を透過して陰極８側から射出される。つまり、発光機能層ＬＥからの発光を効率よく陰極８側から取り出せる構造となっている。
【００４３】
有機ＥＬ素子１における構造は、これに限定されず、例えば、光反射性を有する第１配線１１と陰極８との間で光共振構造を構成してもよい。具体的には、陰極８を例えばＭｇとＡｇの合金を用い、陰極８が透光性と光反射性とを兼ね備えるように膜厚を制御して形成する。第１配線１１と陰極８との光学的な距離が例えば共振波長λの１／２の整数倍となるように絶縁層９、陽極２、発光機能層ＬＥの膜厚を制御して形成する。これにより、共振波長λにおいて高い輝度を有する発光を取り出すことができる。なお、第１配線１１と陰極８との光学的な距離は、これらの間に配置された複数の機能層における屈折率と膜厚との積の和で示される。
【００４４】
次に、有機ＥＬ素子１の具体的な構成例について、図５を参照して説明する。
図５に示すように、有機ＥＬ素子１は、陽極２上に順に積層形成された、正孔注入層３、正孔輸送層４、発光層５、電子輸送層６、電子注入層７、陰極８を有する。
【００４５】
（陽極）
陽極２は、後述する正孔注入層３を介して正孔輸送層４に正孔を注入するための電極である。陽極２の構成材料としては、仕事関数が大きく、導電性に優れる材料を用いるのが好ましい。例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、Ｉｎ2Ｏ3、ＳｎＯ2、Ｓｂ含有ＳｎＯ2、Ａｌ含有ＺｎＯ等の酸化物、Ａｕ、Ｐｔ、Ａｇ、Ｃｕまたはこれらを含む合金等が挙げられ、これらのうちの１種または２種以上を組み合わせて用いることができる。
特に、陽極２は、ＩＴＯで構成されているのが好ましい。ＩＴＯは、透光性を有すると共に、仕事関数が大きく、導電性に優れる材料である。これにより、陽極２から正孔注入層３へ効率的に正孔を注入することができる。
陽極２の膜厚は、特に限定されないが、１０ｎｍ〜２００ｎｍ程度であるのが好ましく、５０ｎｍ〜１５０ｎｍ程度であるのがより好ましい。
【００４６】
（正孔注入層）
正孔注入層３は、陽極２からの正孔注入効率を向上させる機能を有する（すなわち正孔注入性を有する）ものである。
陽極２と後述する正孔輸送層４との間に正孔注入層３を設けることにより、陽極２からの正孔注入性を向上させ、その結果、有機ＥＬ素子１の発光効率を高めることができる。
正孔注入層３に含まれる正孔注入性材料としては、特に限定されないが、例えば、銅フタロシアニンや、４，４’，４’’−トリス（Ｎ，Ｎ−フェニル−３−メチルフェニルアミノ）トリフェニルアミン（ｍ−ＭＴＤＡＴＡ）、Ｎ，Ｎ’−ビス−（４−ジフェニルアミノ−フェニル）−Ｎ，Ｎ’−ジフェニル−ビフェニル−４−４’−ジアミン等が挙げられる。
中でも、正孔注入層３に含まれる正孔注入性材料としては、正孔注入性及び正孔輸送性に優れるという観点から、アミン系材料を用いるのが好ましく、ジアミノベンゼン誘導体、ベンジジン誘導体（ベンジジン骨格を有する材料）、分子内に「ジアミノベンゼン」ユニットと「ベンジジン」ユニットとの両方を有するトリアミン系化合物、テトラアミン系化合物を用いるのがより好ましい。
このような正孔注入層３の膜厚は、特に限定されないが、５ｎｍ〜９０ｎｍ程度であるのが好ましく、１０ｎｍ〜７０ｎｍ程度であるのがより好ましい。
なお、正孔注入層３は、陽極２及び正孔輸送層４の構成材料によっては、省略してもよい。
【００４７】
（正孔輸送層）
正孔輸送層４は、陽極２から正孔注入層３を介して注入された正孔を発光層５まで輸送する機能を有する（すなわち正孔輸送性を有する）ものである。
正孔輸送層４に含まれる正孔輸送性材料には、各種ｐ型の高分子材料や、各種ｐ型の低分子材料を単独または組み合わせて用いることができ、例えば、Ｎ，Ｎ’−ジ（１−ナフチル）−Ｎ，Ｎ’−ジフェニル−１，１’−ジフェニル−４，４’−ジアミン（ＮＰＤ）、Ｎ，Ｎ’−ジフェニル−Ｎ，Ｎ’−ビス（３−メチルフェニル）−１，１’−ジフェニル−４，４’−ジアミン（ＴＰＤ）等のテトラアリールベンジジン誘導体、テトラアリールジアミノフルオレン化合物またはその誘導体（アミン系化合物）等が挙げられ、これらのうちの１種または２種以上を組み合わせて用いることができる。
中でも、正孔輸送層４に含まれる正孔輸送性材料としては、正孔注入性及び正孔輸送性に優れるという観点から、アミン系材料であるのが好ましく、ベンジジン誘導体（ベンジジン骨格を有する材料）であるのがより好ましい。
このような正孔輸送層４の膜厚は、特に限定されないが、５ｎｍ〜９０ｎｍ程度であるのが好ましく、１０ｎｍ〜７０ｎｍ程度であるのがより好ましい。
【００４８】
（発光層）
発光層５は、陽極２と陰極８との間に通電することにより発光するものである。どのような波長の光を取り出すかにより発光層５に含まれる発光材料が選択される。本実施形態では、後述する検査装置としての生体認証装置に用いられることを考慮して近赤外域において輝度のピーク波長が得られる発光材料が用いられている。なお、近赤外域とは７００ｎｍ以上１５００ｎｍ以下の波長域を指す。発光層５は発光材料以外の材料を含んでいてもよい。例えば、発光材料をゲスト材料として、ゲスト材料に対するホスト材料を含んでいてもよい。このホスト材料は、注入された正孔と電子とにより励起子を生成すると共に、その励起子のエネルギーを発光材料に移動（フェルスター移動またはデクスター移動）させて、発光材料を励起する機能を有する。そのため、有機ＥＬ素子１の発光効率を高めることができる。
このような発光層５の膜厚は、特に限定されないが、１ｎｍ〜６０ｎｍ程度であるのが好ましく、３ｎｍ〜５０ｎｍ程度であるのがより好ましい。
【００４９】
（電子輸送層）
電子輸送層６は、陰極８から電子注入層７を介して注入された電子を発光層５に輸送する機能を有するものである。
電子輸送層６の構成材料（電子輸送性材料）としては、例えば、２，９−ジメチル−４，７−ジフェニル−１，１０−フェナントロリン（ＢＣＰ）等のフェナントロリン誘導体、トリス（８−キノリノラト）アルミニウム（Ａｌｑ３）等の８−キノリノールないしその誘導体を配位子とする有機金属錯体などのキノリン誘導体、アザインドリジン誘導体、オキサジアゾール誘導体、ペリレン誘導体、ピリジン誘導体、ピリミジン誘導体、キノキサリン誘導体、ジフェニルキノン誘導体、ニトロ置換フルオレン誘導体等が挙げられ、これらのうちの１種または２種以上を組み合わせて用いることができる。
また、電子輸送層６は、前述したような電子輸送性材料のうち２種以上を組み合わせて用いる場合、２種以上の電子輸送性材料を混合した混合材料で構成されていてもよいし、異なる電子輸送性材料で構成された複数の層を積層して構成されていてもよい。
このような電子輸送層６の膜厚は、特に限定されないが、１ｎｍ〜２００ｎｍ程度であるのが好ましく、１０ｎｍ〜１００ｎｍ程度であるのがより好ましい。
【００５０】
（電子注入層）
電子注入層７は、陰極８からの電子注入効率を向上させる機能を有するものである。
電子注入層７の構成材料（電子注入性材料）としては、例えば、各種の無機絶縁材料、各種の無機半導体材料が挙げられる。
このような無機絶縁材料としては、例えば、アルカリ金属カルコゲナイド（酸化物、硫化物、セレン化物、テルル化物）、アルカリ土類金属カルコゲナイド、アルカリ金属のハロゲン化物及びアルカリ土類金属のハロゲン化物等が挙げられ、これらのうちの１種または２種以上を組み合わせて用いることができる。これらを主材料として電子注入層７を構成することにより、電子注入性をより向上させることができる。特にアルカリ金属化合物（アルカリ金属カルコゲナイド、アルカリ金属のハロゲン化物等）は仕事関数が非常に小さく、これを用いて電子注入層７を構成することにより、有機ＥＬ素子１は、高い輝度が得られるものとなる。
アルカリ金属カルコゲナイドとしては、例えば、Ｌｉ2Ｏ、ＬｉＯ、Ｎａ2Ｓ、Ｎａ2Ｓｅ、ＮａＯ等が挙げられる。
アルカリ土類金属カルコゲナイドとしては、例えば、ＣａＯ、ＢａＯ、ＳｒＯ、ＢｅＯ、ＢａＳ、ＭｇＯ、ＣａＳｅ等が挙げられる。
アルカリ金属のハロゲン化物としては、例えば、ＣｓＦ、ＬｉＦ、ＮａＦ、ＫＦ、ＬｉＣｌ、ＫＣｌ、ＮａＣｌ等が挙げられる。
アルカリ土類金属のハロゲン化物としては、例えば、ＣａＦ2、ＢａＦ2、ＳｒＦ2、ＭｇＦ2、ＢｅＦ2等が挙げられる。
また、無機半導体材料としては、例えば、Ｌｉ、Ｎａ、Ｂａ、Ｃａ、Ｓｒ、Ｙｂ、Ａｌ、Ｇａ、Ｉｎ、Ｃｄ、Ｍｇ、Ｓｉ、Ｔａ、Ｓｂ及びＺｎのうちの少なくとも１つの元素を含む酸化物、窒化物または酸化窒化物等が挙げられ、これらのうちの１種または２種以上を組み合わせて用いることができる。
このような電子注入層７の膜厚は、特に限定されないが、０．１ｎｍ〜１０００ｎｍ程度であるのが好ましく、０．２ｎｍ〜１００ｎｍ程度であるのがより好ましく、０．２ｎｍ〜５０ｎｍ程度であるのがさらに好ましい。
なお、この電子注入層７は、陰極８及び電子輸送層６の構成材料や厚さ等によっては、省略してもよい。
【００５１】
（陰極）
陰極８は、電子注入層７を介して電子輸送層６に電子を注入するための電極である。陰極８の構成材料としては、仕事関数の小さい材料を用いるのが好ましい。
陰極８の構成材料としては、例えば、Ｌｉ、Ｍｇ、Ｃａ、Ｓｒ、Ｌａ、Ｃｅ、Ｅｒ、Ｅｕ、Ｓｃ、Ｙ、Ｙｂ、Ａｇ、Ｃｕ、Ａｌ、Ｃｓ、Ｒｂまたはこれらを含む合金等が挙げられ、これらのうちの１種または２種以上を組み合わせて（例えば、複数層の積層体、複数種の混合層等として）用いることができる。
特に、陰極８の構成材料として合金を用いる場合には、Ａｇ、Ａｌ、Ｃｕ等の安定な金属元素を含む合金、具体的には、ＭｇＡｇ、ＡｌＬｉ、ＣｕＬｉ等の合金を用いるのが好ましい。かかる合金を陰極８の構成材料として用いることにより、陰極８の電子注入効率及び安定性の向上を図ることができる。
【００５２】
本実施形態の有機ＥＬ素子１は、トップエミッション型であり、陰極８側から光を取り出すので、陰極８を構成する材料としてＭｇとＡｇの合金を用い、その膜厚を１ｎｍ〜５０ｎｍ程度とした。なお、有機ＥＬ素子１をボトムエミッション型とする場合には、陰極８として光反射性を有する材料を用い、第１配線１１を透光性の材料で構成すればよい。
【００５３】
本実施形態では、陽極２、正孔注入層３、正孔輸送層４、発光層５、電子輸送層６、電子注入層７、陰極８をそれぞれ真空蒸着法を用いて形成した。なお、各層の形成方法は、真空蒸着法やスパッタ法などの気相プロセスを用いることに限定されず、液相プロセスを用いてもよい。
以上、有機ＥＬ素子１の構成について説明したが、正孔注入層３、正孔輸送層４、発光層５、電子輸送層６、電子注入層７を含む発光機能層ＬＥの構成はこれに限定されない。例えば、キャリアとしての正孔や電子の移動を制御する中間層を含む構成としてもよい。
また、有機ＥＬ素子１の発光寿命を確保するために、酸素や水分等が浸入することを防ぐ封止膜を用いて有機ＥＬ素子１を封止する構造を採用することが好ましい。
【００５４】
次に、本実施形態における照明装置１０Ａの輝度むらの改善状況を説明するため、比較例の照明装置について図６を参照して説明する。図６は比較例の照明装置の構成を示す概略平面図である。なお、比較例の照明装置において、本実施形態の照明装置１０Ａと同じ構成には同じ符号を付して、詳細の説明は省略するものとする。
【００５５】
図６に示すように、比較例の照明装置１０Ｃは、Ｘ方向に延在すると共に、Ｙ方向に並列する複数（５本）の第１配線１１と、複数の第１配線１１に陽極２（図５参照）が接続された複数（Ｘ方向に７個、Ｙ方向に５個、合計３５個）の有機ＥＬ素子１を有する。有機ＥＬ素子１は第１配線１１上に設けられている。
複数の第１配線１１の一方の端部（図面上では左側の端部）はＹ方向に延在した第３配線１３に接続されている。第３配線１３の端部（図面上では下方側の端部）に第１端子部１７が設けられている。
複数の第１配線１１の他方の端部（図面上では右側の端部）はＹ方向に延在した第５配線１５に接続されている。第５配線１５の端部（図面上では下方側の端部）に第３端子部１９が設けられている。
【００５６】
複数の有機ＥＬ素子１の共通電極である陰極８は、複数の有機ＥＬ素子１が配置された領域Ｅ１に亘って形成されている。陰極８のＹ方向における下方側の辺部に接して第６配線１６が設けられている。Ｘ方向に延在する第６配線１６に沿って第２端子部１８が設けられている。つまり、比較例の照明装置１０Ｃは、上記照明装置１０Ａと同様に第１端子部１７と第３端子部１９との間に第２端子部１８が配置されている。
【００５７】
次に、本実施形態の照明装置１０Ａと比較例の照明装置１０Ｃとにおける複数の有機ＥＬ素子１の陽極２の電位（ＶＥＬ）と、共通電極である陰極８の電位（ＶＣＴ）について、図７と図８を参照して説明する。図７（ａ）は比較例の照明装置における陽極の電位の大小関係を示す図、図７（ｂ）は本実施形態の照明装置における陽極の電位の大小関係を示す図である。図８（ａ）は比較例の照明装置における陽極の電位（ＶＥＬ）及び陰極の電位（ＶＣＴ）と有機ＥＬ素子の位置との関係を示すグラフ、図８（ｂ）は本実施形態の照明装置における陽極の電位（ＶＥＬ）及び陰極の電位（ＶＣＴ）と有機ＥＬ素子の位置との関係を示すグラフである。
【００５８】
図７（ａ）に示すように、比較例の照明装置１０Ｃでは、第１端子部１７及び第３端子部１９に印加される電位は、第３配線１３、第５配線１５の電気抵抗によって第１端子部１７及び第３端子部１９から離れるほど電位が降下する。つまり、第１端子部１７及び第３端子部１９に近いほど電位が大きくなり、第１端子部１７及び第３端子部１９から離れるほど電位が小さくなる。一方で、両端部が第３配線１３と第５配線１５に接続された第１配線１１における電位は、同じく第１配線１１の電気抵抗により、第３配線１３及び第５配線１５から離れるほど電位が降下する。つまり、第１配線１１の両端側に行くほど電位が大きく、中央側に行くほど電位が小さくなる。したがって、図７（ａ）において斜め方向に配置された矢印によって示されるように、例えば、第３端子部１９から最も近い第１配線１１ａの右端（第５配線１５に近い側）に位置する有機ＥＬ素子１の陽極２には最も大きな電位が与えられる。そして、第３端子部１９から最も遠い第１配線１１ｅの中央に位置する有機ＥＬ素子１の陽極２には最も小さい電位が与えられる。図７（ａ）には示していないが、第１端子部１７を基準として各有機ＥＬ素子１の陽極２に与えられる電位を考察しても同様な結果となる。
【００５９】
これに対して、図７（ｂ）に示すように、本実施形態の照明装置１０Ａでは、複数の第１配線１１の両端部は、第２配線１２と第４配線１４とに接続されている。そして、第２配線１２は第１端子部１７から最も離れた位置で第３配線１３と接続されている。同様に、第４配線１４は第３端子部１９から最も離れた位置で第５配線１５と接続されている。
つまり、第２配線１２及び第４配線１４はそのままＹ方向に延出されて第１端子部１７や第３端子部１９に接続されず、第１端子部１７や第３端子部１９が設けられた側と反対側で折り返されて、第３配線１３や第４配線１４にそれぞれ接続されている。
したがって、第４配線１４における電位は、第３端子部１９に近い側で最も小さくなり、第３端子部１９に遠い側で最も大きくなる。一方で、第１配線１１における電位の傾向は、比較例と同じである。したがって、図７（ｂ）において斜め方向に配置された矢印によって示されるように、例えば、第３端子部１９から最も近い第１配線１１ａの中央に位置する有機ＥＬ素子１の陽極２には最も小さい電位が与えられる。そして、第３端子部１９から最も遠い第１配線１１ｅの右端（第４配線１４に近い側）に位置する有機ＥＬ素子１の陽極２には最も大きい電位が与えられる。図７（ｂ）には示していないが、第１端子部１７を基準として各有機ＥＬ素子１の陽極２に与えられる電位を考察しても同様な結果となる。
【００６０】
図２及び図６に示すように、本実施形態の照明装置１０Ａ及び比較例の照明装置１０Ｃにおける陰極８は共通電極として形成されているので、陰極８に与えられる電位は、陰極８の電気抵抗によって第２端子部１８から遠ざかるほど、電圧損失が大きくなる。第２端子部１８は、前述したように例えばＧＮＤ電位（０Ｖ）が与えられるので、陰極８の電位は第２端子部１８から遠ざかるほどＧＮＤ電位（０Ｖ）から上昇することになる。
【００６１】
ゆえに、図８（ａ）に示すように、比較例の照明装置１０Ｃの複数の有機ＥＬ素子１における実際の陽極２の電位（ＶＥＬ）と陰極８の電位（ＶＣＴ）との間の電位差（ΔＶ）は、第１端子部１７及び第３端子部１９から陽極２までの距離（Ｌ）並びに第２端子部１８から陰極８までの距離（Ｌ）との関係において、距離（Ｌ）が大きくなるほど電位差（ΔＶ）が小さくなってしまう。つまり、複数の有機ＥＬ素子１ごとの陽極２と陰極８に印加される駆動電圧がばらつき、領域Ｅ１における有機ＥＬ素子１の位置に起因して輝度むらが生ずる。
【００６２】
これに対して、本実施形態の照明装置１０Ａでは、陰極８の電位（ＶＣＴ）は比較例と同様に第２端子部１８からの距離（Ｌ）が大きくなるほど上昇するが、陽極２の電位（ＶＥＬ）は第１端子部１７及び第３端子部１９からの距離（Ｌ）が大きくなると上昇する傾向となる。したがって、陽極２の電位（ＶＥＬ）と陰極８の電位（ＶＣＴ）との電位差（ΔＶ）は、距離（Ｌ）に依存して変動し難い状態となっている。つまり、複数の有機ＥＬ素子１ごとの陽極２と陰極８に印加される駆動電圧のばらつきが抑えられ、領域Ｅ１における有機ＥＬ素子１の位置に起因する輝度むらが比較例よりも改善されている。言い換えれば、輝度むらが少ない照明装置１０Ａを提供することができる。
【００６３】
照明装置１０Ａにおいて、Ｙ方向に配列する複数の第１配線１１のうち中央側に位置する第１配線１１ｃの幅を他の第１配線１１ａ，１１ｂ，１１ｄ，１１ｅよりも大きくすることが望ましい。これにより、図８（ｂ）の陽極２の電位（ＶＥＬ）は、破線で示したように距離（Ｌ）が大きくなるに連れてすばやく電位が上昇するようになるので、陽極２の電位（ＶＥＬ）と陰極８の電位（ＶＣＴ）の電位差（ΔＶ）のばらつきをより小さくすることができる。つまり、第１端子部１７及び第３端子部１９からの有機ＥＬ素子１の距離（Ｌ）に起因する照明装置１０Ａの輝度むらをより低減できる。
【００６４】
また、照明装置１０Ａにおいて、複数の第１配線１１、第２配線１２、第３配線１３、第４配線１４、第５配線１５、第６配線１６は、基板Ｐ１上において同じ配線層に形成されている。したがって、それぞれの配線を別々の配線層に形成する場合に比べて、配線形成工程を簡略化でき、高いコストパフォーマンスを有する照明装置１０Ａを提供できる。
【００６５】
また、照明装置１０Ａにおいて、第１端子部１７、第２端子部１８、第３端子部１９は、Ｙ方向において同じ側に配置され、且つ、第１端子部１７と第３端子部１９との間に第２端子部１８が配置されている。したがって、第１端子部１７、第２端子部１８、第３端子部１９をそれぞれ別な場所に配置する場合に比べて、外形がコンパクトな照明装置１０Ａを実現できる。
【００６６】
さらに、第２配線１２、第３配線１３、第４配線１４、第５配線１５、第６配線１６は、複数の有機ＥＬ素子１が配置された領域Ｅ１の外側に配置されている。また、複数の第１配線１１が光反射性を有しているので、これらの配線によって複数の有機ＥＬ素子１からの発光が遮られず、領域Ｅ１から効率よく光を取り出すことができるトップエミッション型の照明装置１０Ａを提供できる。
【００６７】
（第２実施形態）
次に、第２実施形態の照明装置について、図９及び図１０を参照して説明する。図９は第２実施形態の照明装置の電気的な構成を示す回路図、図１０（ａ）は第２実施形態の照明装置の構成を示す概略平面図、図１０（ｂ）は第２実施形態の照明装置の有機ＥＬ素子における陽極と陰極の配置を示す概略平面図である。なお、第２実施形態の照明装置は、第１実施形態の照明装置１０Ａに対して陰極８の構成を異ならせたものである。したがって、第１実施形態の照明装置１０Ａと同じ構成には同じ符号を付して詳細の説明は省略するものとする。
【００６８】
図９に示すように、本実施形態の照明装置１０Ｂは、有機ＥＬ素子１が複数配置された領域Ｅ１を有し、領域Ｅ１においてＸ方向に６個、Ｙ方向に５個、合計３０個の有機ＥＬ素子１がマトリックス状に配置されている。なお、領域Ｅ１に配置される有機ＥＬ素子１の個数はこれに限定されるものではない。
【００６９】
複数の有機ＥＬ素子１のそれぞれの陽極２は、複数（５本）の第１配線１１のいずれかに接続されている。１本当たりの第１配線１１には６個の有機ＥＬ素子１の陽極２が並列に接続されている。
【００７０】
Ｘ方向に延在した複数の第１配線１１の一方の端部は、Ｙ方向に延在した第２配線１２に接続されている。第２配線１２は、同じくＹ方向に延在した第３配線１３に接続されている。第３配線１３の一方の端部が第２配線１２に接続され、第３配線１３の他方の端部には第１端子部１７が設けられている。
【００７１】
Ｘ方向に延在した複数の第１配線１１の他方の端部は、Ｙ方向に延在した第４配線１４に接続されている。第４配線１４は、同じくＹ方向に延在した第５配線１５に接続されている。第５配線１５の一方の端部が第４配線１４に接続され、第５配線１５の他方の端部には第３端子部１９が設けられている。つまり、複数の第１配線１１は、Ｘ方向における両端側に給電用の配線が接続されている。
【００７２】
有機ＥＬ素子１の陰極８は、Ｙ方向に延在すると共に、Ｘ方向に並列する複数の電極枝部（第２電極枝部）８ａ，８ｂ，８ｃ，８ｄ，８ｅ，８ｆを有しており、複数の電極枝部８ａ，８ｂ，８ｃ，８ｄ，８ｅ，８ｆの端部はＸ方向に延在する第６配線１６に電気的に接続されている。第６配線１６には第２端子部１８が設けられている。
【００７３】
有機ＥＬ素子１は、複数の第１配線１１と電極枝部８ａ，８ｂ，８ｃ，８ｄ，８ｅ，９ｆとの交差部に対応して設けられており、１本当たりの電極枝部に対して５つの有機ＥＬ素子１が並列に接続された構成となっている。つまり、電極枝部８ａ，８ｂ，８ｃ，８ｄ，８ｅ，８ｆのそれぞれが、対応する５つの有機ＥＬ素子１の陰極８として機能するものである。
【００７４】
図１０（ａ）に示すように、領域Ｅ１において、複数の第１配線１１と電極枝部８ａ，８ｂ，８ｃ，８ｄ，８ｅ，９ｆとの交差部ごとに有機ＥＬ素子１が設けられている。
また、複数の第１配線１１の両端部が接続される第２配線１２及び第４配線１４に対して、第３配線１３及び第５配線１５の幅が大きくなっている。
図１０（ｂ）に示すように、有機ＥＬ素子１の陽極２は、平面視で第１配線１１と重なって形成されている。陽極２と第１配線１１とは、陽極２と重なった位置に設けられたコンタクトホール９ａ内の導電膜を介して電気的に接続されている。本実施形態における陽極２の形状は長方形であって、長手方向が第１配線１１の延在方向（Ｘ方向）と合致するように陽極２が配置されている。陽極２の短手方向の幅は、第１配線１１の幅と同じであってもよいし、少し小さくてもよく、また少し大きくても構わない。陰極８は、複数の電極枝部８ａ，８ｂ，８ｃ，８ｄ，８ｅ，９ｆを有する構成となっているので、例えば、２点鎖線で示した電極枝部８ｃ，８ｄと陽極２とが平面視で重なる破線で示した領域Ｅ０が、１つの有機ＥＬ素子１において発光が得られる領域となっている。
【００７５】
本実施形態の照明装置１０Ｂは陰極８が複数の電極枝部８ａ，８ｂ，８ｃ，８ｄ，８ｅ，８ｆに分かれて形成されている。したがって、陰極８が共通電極として形成される第１実施形態に比べて、電極枝部における電気抵抗が上昇するものの、１本の電極枝部における陰極８の電位（ＶＣＴ）の変化をより直線的に近似することができる。
【００７６】
本実施形態の照明装置１０Ｂによれば、上記第１実施形態の照明装置１０Ａにおける効果に加えて、１本の電極枝部における陰極８の電位（ＶＣＴ）の変化がより直線的になるため、複数の有機ＥＬ素子１のそれぞれにおける陽極２と陰極８つまり電極枝部との間に印加される駆動電圧のばらつきをより低減できる。つまり、複数の有機ＥＬ素子１における輝度むらが目立ち難い照明装置１０Ｂを提供できる。
【００７７】
また、照明装置１０Ｂによれば、有機ＥＬ素子１の発光が得られる領域Ｅ０は、陽極２と陰極８の電極枝部とが平面視で重なった部分となるので、第１実施形態のようにコンタクトホール９ａを含む陽極２のほぼ全体が発光する場合に比べて、コンタクトホール９ａを覆う発光機能層ＬＥの膜厚変動に起因する輝度むらが生じ難い。
【００７８】
（第３実施形態）
＜検査装置＞
次に、本実施形態の検査装置について、生体認証装置を例に挙げ、図１１〜図１３を参照して説明する。なお、本実施形態の検査装置は、本実施形態の撮像装置を含むものである。図１１は生体認証装置の構成を示すブロック図、図１２は有機ＥＬ素子と受光素子との配置を示す概略平面図、図１３は撮像装置の構造を示す概略断面図である。
【００７９】
図１１に示すように、本実施形態の検査装置としての生体認証装置１００は、生体（被写体）としての指Ｆの静脈像を撮像して本人認証を行う装置であり、撮像装置５０と、記憶部８０と、出力部９０と、これらを統括して制御する制御部７０と、を備えている。また、撮像装置５０は、指Ｆを照明する発光部１０と、受光部２０と、カバーガラス６０とを備えている。
カバーガラス６０は、撮像領域を覆うガラスの保護カバーである。カバーガラス６０の上に認証対象となる者の指Ｆ（例えば右手の人差し指）が置かれる。
発光部１０は、有機ＥＬ素子１を光源とする上記第１実施形態の照明装置１０Ａあるいは上記第２実施形態の照明装置１０Ｂを用いることができる。本実施形態の撮像装置５０では、上記第２実施形態の照明装置１０Ｂを発光部１０として採用している。したがって、発光部１０から発せられる照射光ＩＬは近赤外域の光であり、その波長は、例えば７００ｎｍ〜１５００ｎｍ（より好ましくは８００ｎｍ〜９００ｎｍ）である。
【００８０】
発光部１０から射出された照射光ＩＬ（近赤外光）は、カバーガラス６０の下側から指Ｆに照射され、指Ｆの内部に到達すると散乱し、その一部が反射光ＲＬとして受光部２０側に向かう。静脈を流れる還元ヘモグロビンは近赤外光を吸収する性質がある。このため近赤外光用のイメージセンサーを用いて指Ｆを撮像すると、指Ｆの皮下にある静脈部分が周辺組織に比べて暗く写る。この明暗の差による紋様が静脈像となる。受光部２０は、近赤外光用のイメージセンサーであり、マトリクス状に配列された複数の受光素子２１（図１２参照）を備えている。各受光素子２１は、入射光（指Ｆからの反射光ＲＬ）をその光量に応じた信号レベルを有する電気信号（受光信号）に変換する。
【００８１】
なお、撮像装置５０の具体的な構造については後述するが、図１１に示すように発光部１０と受光部２０は、カバーガラス６０の上に置かれた指Ｆに対して同じ側（図中下側）に位置する。また、発光部１０は受光部２０よりもカバーガラス６０側（図中上側）に位置する。
【００８２】
記憶部８０は、フラッシュメモリーやハードディスク等の不揮発性メモリーであり、本人認証用のマスター静脈像として、事前に登録された指Ｆ（例えば右手の人差し指）の静脈像が記憶されている。制御部７０は、ＣＰＵやＲＡＭを備え、発光部１０の点灯や消灯を制御する。また、制御部７０は、受光部２０に備わる各受光素子２１から受光信号を読み出し、読み出した１フレーム分（撮像領域分）の受光信号に基づいて指Ｆの静脈像を生成する。また、制御部７０は、生成した静脈像を記憶部８０に登録されているマスター静脈像と照合し、本人認証を行う。例えば、制御部７０は、照合する２つの静脈像の特徴（例えば静脈の枝分かれの数や位置等）を比較し、類似度が予め定められた閾値以上であった場合に、カバーガラス６０の上に指Ｆを置いた者が記憶部８０にマスター静脈像が登録されている本人であると認証する。出力部９０は、例えば表示部や音声報知部であり、表示や音声によって認証結果を報知する。
【００８３】
図１２に示すように、発光部１０である照明装置１０Ｂの光源としての有機ＥＬ素子１は、複数の第１配線１１と陰極８としての電極枝部８ｃ，８ｄとの交差部に設けられ、マトリックス状に配置されている。受光部２０の受光素子２１は、例えばフォトダイオードであって、複数の第１配線１１と電極枝部８ｃ，８ｄとが交差することにより形成された隙間部分に配置されている。つまり、平面視では１つの受光素子２１の周りに４つの有機ＥＬ素子１が配置されていることになる。受光素子２１もまたマトリックス状に配置されている。
【００８４】
図１３に示すように、撮像装置５０は、受光部２０と、発光部１０と、集光部４０とがこの順に積層された構造を有している。受光部２０は、透明あるいは不透明な基板Ｐ２上において前述したようにマトリックス状に配置された複数の受光素子２１を有する。また、受光部２０は、透明な基板Ｐ３を有している。基板Ｐ３は基板Ｐ２に対向配置されるものであって、基板Ｐ３の基板Ｐ２側の表面には遮光層３１が形成されている。遮光層３１には対向する受光素子２１に対応した位置に開口部（ピンホール）３２が形成されている。遮光層３１はマトリックス状に配置された受光素子２１に対向され、不必要な光が受光素子２１に入射することを防ぐのでブラックマトリクス（ＢＭ）とも呼ばれる。
【００８５】
発光部１０は、透明な基板Ｐ１上において絶縁層９を介してマトリックス状に配置された複数の有機ＥＬ素子１を有する。なお、図１３では、第１配線１１などの配線の表示は省略されている。
【００８６】
発光部１０に対応するように集光部４０が設けられている。集光部４０は透明な基板Ｐ４と、基板Ｐ４の有機ＥＬ素子１に対応する側に設けられた複数のマイクロレンズ４１とを有する。マイクロレンズ４１は受光部２０の受光素子２１に対応してやはりマトリックス状に基板Ｐ４に配置されている。すなわち、集光部４０はマイクロレンズアレイ（ＭＬＡ）である。
【００８７】
受光部２０、発光部１０、集光部４０はそれぞれ所定の間隔を置いて互いに配置される。特に、基板Ｐ３は集光部４０におけるマイクロレンズ４１の光学特性（集光度合い、焦点距離など）に応じて、受光素子２１が設けられた基板Ｐ２とマイクロレンズ４１が設けられた基板Ｐ４とに対する相対的な位置と、開口部３２の大きさとが決められる。基板Ｐ２と基板Ｐ３の間、基板Ｐ３と基板Ｐ１の間、基板Ｐ１と基板Ｐ４の間は、それぞれ空間であることが好ましい。加えて、各受光素子２１が受光可能な光量にばらつきが生じないように基板間の距離がそれぞれ決められた値に対して一定であることが好ましい。
【００８８】
発光部１０の有機ＥＬ素子１から発せられた照明光（近赤外光）ＩＬは、前述したように生体（被写体）としての指Ｆを照明し、指Ｆから反射した反射光ＲＬは、マイクロレンズ４１によって集光される。さらに、遮光層３１の開口部（ピンホール）３２を透過して、外光などの不要な光が除かれた状態で受光素子２１に入射する。
各受光素子２１は、受光面に入射された反射光ＲＬ（近赤外光）をその光量に応じた信号レベルを有する受光信号に変換する。
本実施形態の撮像装置５０は、発光部１０として照明装置１０Ｂが採用されている。したがって、生体（被写体）としての指Ｆを明るさにおいてむら無く照明することができる。また、図１２に示すように受光素子２１上には、反射光ＲＬを遮る配線や電極が存在していないので、反射光ＲＬに対して高感度な撮像装置５０を提供できる。なお、発光部１０として上記第１実施形態の照明装置１０Ａを採用することもできる。
【００８９】
このような生体認証装置１００によれば、輝度むらが低減された近赤外光を射出して指Ｆを照明することができる発光部１０を有した撮像装置５０を備え、高いコントラストで指Ｆの静脈像を撮像することが可能なため、高い認証精度を実現することができる。
【００９０】
近赤外光が得られる上記第１実施形態の照明装置１０Ａや上記第２実施形態の照明装置１０Ｂを適用可能な検査装置は、上記生体認証装置１００に限定されない。例えば、マンモグラフィー装置や血液成分分析装置などの照明装置として好適に用いることができる。
【００９１】
上記第１実施形態の照明装置１０Ａや上記第２実施形態の照明装置１０Ｂを適用可能な電子機器は、上記生体認証装置１００などに限定されない。例えば、有機ＥＬ素子１から白色など可視光波長の発光が得られるように発光層５における発光材料を選択すれば、一般的な照明装置として用いることができる。また、液晶表示装置や電気泳動表示装置などの受光型の表示装置の照明装置（バックライトやフロントライト）として好適に用いることができる。さらには、これらの受光型の表示装置を備えた、例えばパーソナルコンピューターや携帯型電話機などの情報端末機器を始めとした電子機器の照明装置として好適に用いることができる。
【００９２】
本発明は、上記した実施形態に限られるものではなく、請求の範囲及び明細書全体から読み取れる発明の要旨あるいは思想に反しない範囲で適宜変更可能であり、そのような変更を伴う照明装置及びこの照明装置を適用する撮像装置、検査装置、電子機器もまた本発明の技術的範囲に含まれるものである。上記実施形態以外にも様々な変形例が考えられる。以下、変形例を挙げて説明する。
【００９３】
（変形例１）上記照明装置１０Ａ，１０Ｂでは、Ｘ方向に延在する複数の第１配線１１の一方の端側に第２配線１２と、第３配線１３とを配置し、他方の端側に第４配線１４と、第５配線１５とを配置したが、これに限定されない。例えば、第４配線１４と、第５配線１５とを削除して、複数の第１配線１１に電気的に接続される配線を第２配線１２と、第３配線１３とにしてもよい。配線を減らした分、上記照明装置１０Ａ，１０Ｂを小型化できる。
【００９４】
（変形例２）上記照明装置１０Ａ，１０Ｂにおいて、領域Ｅ１における複数の有機ＥＬ素子１の配置はこれに限定されない。図１４は変形例の有機ＥＬ素子の配置を示す概略平面図である。例えば、図１４に示すように、複数の第１配線１１上の陽極２のＸ方向における配置を１本置きに異ならせてもよい。これにより、複数の有機ＥＬ素子１を単位面積当たりでより高密度に配置することが可能となる。
【００９５】
（変形例３）上記照明装置１０Ａ，１０Ｂでは、基板Ｐ１上に形成される複数の第１配線１１、第２配線１２、第３配線１３、第４配線１４、第５配線１５、第６配線１６は同一配線層において、同一の導電材料で形成されることが好ましいとしたが、異なる種類の導電材料が積層された構成としてもよい。
【００９６】
（変形例４）上記照明装置１０Ａ，１０Ｂでは、有機ＥＬ素子１が配置された領域Ｅ１よりも外側に第２配線１２、第３配線１３、第４配線１４、第５配線１５、第６配線１６を配置したが、これらの配線のすべて、あるいは一部が領域Ｅ１に含まれる構成としてもよい。
【００９７】
（変形例５）上記照明装置１０Ａ，１０Ｂでは、第１電極としての陽極２を第１配線１１上に配置したが、これに限定されない。例えば、Ｙ方向において第１配線１１の間に位置し、一部が第１配線１１と重なるように陽極２を配置してもよい。
【符号の説明】
【００９８】
１…有機ＥＬ素子、２…第１電極としての陽極、５…発光層、８…陰極、８ａ，８ｂ，８ｃ，８ｄ，８ｅ，８ｆ…第２電極枝部としての電極枝部、９…絶縁層、９ａ…コンタクトホール、１０…発光部、１０Ａ，１０Ｂ…照明装置、１１…第１配線、１２…第２配線、１３…第３配線、１４…第４配線、１５…第５配線、１６…第６配線、１７…第１端子部、１８…第２端子部、１９…第３端子部、２０…受光部、２１…受光素子、３１…遮光層、３２…開口部、４１…マイクロレンズ、５０…撮像装置、７０…制御部、１００…検査装置としての生体認証装置、Ｅ１…有機ＥＬ素子が配置された領域、Ｐ１…基板。
【図１】
2014007319.tif 000003
【図２】
2014007319.tif 000004
【図３】
2014007319.tif 000005
【図４】
2014007319.tif 000006
【図５】
2014007319.tif 000007
【図６】
2014007319.tif 000008
【図７】
2014007319.tif 000009
【図８】
2014007319.tif 000010
【図９】
2014007319.tif 000011
【図１０】
2014007319.tif 000012
【図１１】
2014007319.tif 000013
【図１２】
2014007319.tif 000014
【図１３】
2014007319.tif 000015
【図１４】
2014007319.tif 000016